(57)【要約】【課題】   反射素子の上部に備えさせる大径の傘部材を上側の支持板における長溝の入口に備えさせた掛合片の内側に掛合させることにより、組立の作業性を向上させると共に、支持板に反射素子の上部を装着した後は、定位置で横移動しないようにする。【解決手段】  上下一対の平行配置の支持板７、１０の間に、放射素子１３と、複数本の反射素子１７とを備えさせる指向性アンテナにおいて、上の支持板７には外周縁７ａが解放の長溝４０を備えさせ、その長溝４０の入口４１には上向掛合片４４を備え、反射素子１７の上部には傘部材４６を備えさせ、上の支持板７の長溝４０に傘部材４６を、上記掛合片４４を乗り越えさせる状態で挿入し、長溝４０の上に傘部材４６を定置させると共に、下の支持板１０の外周縁10ａが解放されている長溝５０に反射素子１７の下部を挿入し、その下部を下の支持板１０にボルト５６で締付け固定する。【選択図】    図７
2010074281.tif 000002
【特許請求の範囲】
【請求項１】
上下一対の平行に配置された支持板（７、１０）を備えると共に、
それらの上下一対の支持板の間には、
放射素子（１３）と、該放射素子から所定間隔離隔されて相互に平行状態に配置される複数本の反射素子（１７）とを、各上下端部（１４、１５、１８、１９）を、夫々上記上下の支持板における各装着部（８、１１、９、１２）に対して装着した状態で備えさせ、
しかも、上記複数本の反射素子の内の任意複数の反射素子（１７）については、指向性アンテナの指向特性を変更できるように上下一対の支持板に設けられている複数の装着部（９、１２）に対する装着位置を選択的に変更できるようにしてある指向性アンテナにおいて、
上側の支持板（７）における上記選択利用される各反射素子の装着部（９）の構成は、
外周縁（７ａ）に向けて解放された入口（４１）を備える長溝（４０）であって、かつ、長溝（４０）の入口（４１）近くの溝縁（４０ａ）には上方に突出する掛合片（４４）が備えられており、一方、
上記の装着位置変更に係わる反射素子（１７）の上部取付部（１８）にあっては、上側の支持板における上面（７ｂ）の上に対して周囲の張出部材（４７）を位置させるために上記長溝（４０）の溝幅（W１）よりも大きい外径（W２）の傘部材（４６）を一体的に備えさせると共に、傘部材（４６）の下側に位置する部材（４９）の外径寸法（Ｗ３）は、上記長溝の溝幅（Ｗ１）に対応する寸法にし、かつ、上記傘部材（４６）の外径寸法（Ｗ２）は、傘部材（４６）の下側に位置する部材（４９）を長溝（４０）の内に位置させた状態で、上記傘部材の外周面（４６ａ）が、上記掛合片（４４）の内側に接するようにし、
下側の支持板（１０）における上記選択利用される各反射素子の装着部（１２）の構成は、
外周縁（１０ａ）に向けて解放された入口（５１）を備える長溝（５０）であって、かつ、長溝（５０）の入口（５１）近くの溝縁（５０ａ）には上方に突出する係り合片（５４）が備えられており、一方、
上記の装着位置変更に係わる反射素子（１７）の下部取付部（１９）にあっては、下側の支持板（１０）における上面（１０ｂ）の上に対して、周囲の部材（２０）を位置させるために上記長溝（５０）の溝幅（W４）よりも大きい寸法（W５）の外形太部（２０）を形成し、その外形太部（２０）の下面の中央部には雌ねじ孔（５５）を設けて下方からボルト（５６）を着脱自在に螺合させ、さらに、長溝（５０）の溝幅（W４）よりも大きい上記外形太部（２０）の外周径（W５）は、上記長溝（５０）の内に上記ボルト軸部（56a）を位置させた状態で、上記係り合片（５４）の内側に接するような径に形成し、
上記の上下一対の支持板（７、１０）に設けられている複数の反射素子（１７）の装着部（９、１２）に対して選択的に、反射素子（１７）を装着するときには、
上側の支持板（７）における長溝（４０）に対して、反射素子上部の傘部材（４６）を、支持板上方に突出する上記掛合片（４４）を乗り越えさせる状態で挿入することと、
反射素子下部に備えさせたボルト（５６）を緩めた状態で、下側の支持板（１０）における長溝（５０）に対して、反射素子下部の上記長溝（５０）の溝幅（W４）よりも大きい外形太部（２０）が上記係り合片（５４）を乗り越える状態で挿入することと、
その後下側の支持板（１０）の下側に表れるボルト（５６）を締付けることにより、
上記反射素子の上部の傘部材（４６）は上記掛合片（４４）の内側に掛合し、
上記反射素子の下部の上記長溝（５０）の溝幅（W４）よりも大きい外形太部（２０）は上記係り合片（５４）の内側に係合し、
夫々定位置で不動状態になるようにしてあることを特徴とする指向性アンテナ。
【請求項２】
上下一対の平行に配置された支持板（７、１０）を備えると共に、
それらの上下一対の支持板の間には、
放射素子（１３）と、該放射素子から所定間隔離隔されて相互に平行状態に配置される複数本の反射素子（１７）とを、各上下端部（１４、１５、１８、１９）を、夫々上記上下の支持板における各装着部（８、１１、９、１２）に対して装着した状態で備えさせ、
しかも、上記複数本の反射素子の内の任意複数の反射素子（１７）については、指向性アンテナの指向特性を変更できるように上下一対の支持板に設けられている複数の装着部（９、１２）に対する装着位置を選択的に変更できるようにしてある指向性アンテナにおいて、
上側の支持板（７）における上記選択利用される各反射素子の装着部（９）の構成は、
外周縁（７ａ）に向けて解放された入口（４１）を備える長溝（４０）であって、かつ、長溝（４０）の深部（４２）と入口（４１）との間の溝縁（４０ａ）には上方に突出する掛合片（４４）が備えられており、一方、
上記の装着位置変更に係わる反射素子（１７）の上部取付部（１８）にあっては、上側の支持板における上面（７ｂ）の上に対して周囲の張出部材（４７）を位置させるために上記長溝（４０）の溝幅（W１）よりも大きい外径（W２）の傘部材（４６）を一体的に備えさせると共に、傘部材（４６）の下側に位置する第１頸部（４９）の外径寸法（Ｗ３）は、上記長溝の深部における溝幅（Ｗ１）に対応する寸法にし、かつ、上記傘部材（４６）の外径寸法（Ｗ２）は、上記の第１頸部（４９）が長溝（４０）の深部（４２）に位置された状態で、上記傘部材の外周面（４６ａ）が、上記掛合片（４４）の内側に接するようにし、
下側の支持板（１０）における上記選択利用される各反射素子の装着部（１２）の構成は、
外周縁（１０ａ）に向けて解放された入口（５１）を備える長溝（５０）であって、かつ、長溝（５０）の深部（５２）と入口（５１）との間の溝縁（５０ａ）には上方に突出する係り合片（５４）が備えられており、一方、
上記の装着位置変更に係わる反射素子（１７）の下部取付部（１９）にあっては、下側の支持板（１０）における上面（１０ｂ）の上に対して、周囲の部材（２０）を位置させるために上記長溝（５０）の溝幅（W４）よりも大きい寸法（W５）の外形太部（２０）を形成し、その外形太部（２０）の下面の中央部には雌ねじ孔（５５）を設けて下方からボルト（５６）を着脱自在に螺合させると共に、上記外形太部（２０）の下側に位置させる第２頸部（５９）となる部材の外形寸法（W６）は、上記長溝（５０）の深部（５２）における溝幅（W４）に対応する寸法にし、さらに、長溝（５０）の溝幅（W４）よりも大きい上記外形太部（２０）の外周径（W５）は、上記長溝の深部（５２）に上記第２頸部となる部材（５９）を位置させた状態で、上記係り合片（５４）の内側に接するような径に形成し、
上記の上下一対の支持板（７、１０）に設けられている複数の反射素子（１７）の装着部（９、１２）に対して選択的に、反射素子（１７）を装着するときには、
上側の支持板（７）における長溝（４０）に対して、反射素子上部の傘部材（４６）を、支持板上方に突出する上記掛合片（４４）を乗り越えさせる状態で挿入することと、
反射素子下部に備えさせたボルト（５６）を緩めた状態で、下側の支持板（１０）における長溝（５０）に対して、反射素子下部の上記長溝（５０）の溝幅（W４）よりも大きい外形太部（２０）が上記係り合片（５４）を乗り越える状態で挿入することと、
その後下側の支持板（１０）の下側に表れるボルト（５６）を締付けることにより、
上記反射素子の上部の傘部材（４６）は上記掛合片（４４）の内側に掛合し、
上記反射素子の下部の上記長溝（５０）の溝幅（W４）よりも大きい外形太部（２０）は上記係り合片（５４）の内側に係合し、
夫々定位置で不動状態になるようにしてあることを特徴とする指向性アンテナ。
【発明の詳細な説明】
【技術分野】
【０００１】
本発明は、種々の指向特性を得ることのできる指向性アンテナに関し、詳しくは、
上下一対の平行に配置された支持板の間に、放射素子と、複数本の反射素子とを備えさせ、上記複数本の反射素子の内の任意複数の反射素子については、指向性アンテナの指向特性を変更できるように複数の装着部の位置を選択的に変更できるようにしてある指向性アンテナに関する。
【背景技術】
【０００２】
従来の指向性アンテナ、例えば特許文献１に示される指向性アンテナは、その記載に基づけば、次のように構成されている。
「上下一対の平行に配置された第１、第２角度調整板（支持板）１４，１５を備えると共に、それらの上下一対の角度調整板（支持板）の間には、放射器部１０と、該放射器部から所定間隔離隔されて相互に平行状態に配置される複数本の反射器１１，１２，１３とを、各上下端部を、夫々上下の角度調整板（支持板）における各装着部に対して装着した状態で備えさせ、上記複数本の反射器の内の任意複数の反射器１２、１３については、指向性アンテナの指向特性（図１６、１７、１８）を変更できるように、上下一対の角度調整板（支持板）に夫々設けられている長溝状の屈曲溝１４ｂに対して、横方向へ向けての往復移動を自在に、ボルト１１ａを用いて、装着してある。」
【０００３】
【特許文献１】特開２００２−３３５１２０号公報
【発明の開示】
【発明が解決しようとする課題】
【０００４】
この特許文献１に記載されている指向性アンテナでは、複数の反射器１２、１３については、指向性アンテナの指向特性（図１６、１７、１８）を変更できるように、上下一対の角度調整板（支持板）１４，１５に夫々設けられている長溝状の屈曲溝１４ｂに対して、上下の端部を夫々横方向へ向けての往復移動を自在に、ボルト１１ａを用いて、締め付けるようにしてあるので、
現場において作業者が、角度調整板１４，１５の長溝状の屈曲溝１４ｂに対して、反射器１２、１３の上下をボルト１１ａを用いて、締め付けながら固定する場合、上記長溝状の屈曲溝１４ｂは、それの長溝が横方向に連続しているので、反射器の端部は調整板１４，１５の面に沿って横移動し、所定位置に留まらず、定位置を外れた位置に固着されることがあり、放射器部１０に対して装着した反射器１２，１３の平行状態が乱れる問題点があった。
【０００５】
更に経年後、上記ボルト11aの締め付けが、ほんの僅かに緩んだ場合で、屈曲溝１４ｂは長溝で、横方向に連続しているので、反射器のボルト11aは長溝に沿って横滑りし、所定位置から横移動して、上記指向性アンテナの指向特性（図１６、１７、１８）が変化する問題点がある。
【０００６】
更に上記特許文献１に示される指向性アンテナにあっては、反射器は、上下の角度調整板１４，１５における屈曲溝１４ｂ、１５ｂに対して、横方向への進退移動自在にボルト11aで締め付けする構成であるから、工場出荷に際して、上下の角度調整板１４，１５に対して複数の反射器１２、１３を装着する場合、上下の角度調整板１４，１５の間に、反射器を介在させ、その状態を維持しながら「上側の角度調整板１４における屈曲溝１４ｂにボルト11aを貫通させて、反射器上端の雌ねじに螺合させる工程」と、「下側の角度調整板１５における屈曲溝１５ｂにボルト11aを貫通させて、反射器下端の雌ねじに螺合させる工程」との２つの煩わしい工程を必要とする組付作業上の問題点があった。
【０００７】
本件出願の目的は、いくつかの反射素子について、その取付位置を選択できるようにすることによって、要求される複数の指向特性に対応することができるようにした指向性アンテナを提供しようとするものである。
他の目的は、反射素子の上部に大径の傘部材を備えさせ、その傘部材を上側の支持板における長溝の入口に備えさせた掛合片の内側に掛合させることにより、組立の作業性を向上させると共に、一旦、支持板に反射素子の上部を装着した後は、定位置で横移動しないようにした指向性アンテナを提供しようとするものである。
他の目的及び利点は図面及びそれに関連した以下の説明により容易に明らかになるであろう。
【課題を解決するための手段】
【０００８】
本発明における指向性アンテナは、
上下一対の平行に配置された支持板７、１０を備えると共に、それらの上下一対の支持板の間には、放射素子１３と、該放射素子から所定間隔離隔されて相互に平行状態に配置される複数本の反射素子１７とを、各上下端部１４、１５、１８、１９を、夫々上記上下の支持板における各装着部８、１１、９、１２に対して装着した状態で備えさせ、しかも、上記複数本の反射素子の内の任意複数の反射素子１７については、指向性アンテナの指向特性を変更できるように上下一対の支持板に設けられている複数の装着部９、１２に対する装着位置を選択的に変更できるようにしてある指向性アンテナにおいて、上側の支持板７における上記選択利用される各反射素子の装着部９の構成は、外周縁７ａに向けて解放された入口４１を備える長溝４０であって、かつ、長溝４０の入口４１近くの溝縁４０ａには上方に突出する掛合片４４が備えられており、一方、上記の装着位置変更に係わる反射素子１７の上部取付部１８にあっては、上側の支持板における上面７ｂの上に対して周囲の張出部材４７を位置させるために上記長溝４０の溝幅W１よりも大きい外径W２の傘部材４６を一体的に備えさせると共に、傘部材４６の下側に位置する部材４９の外径寸法Ｗ３は、上記長溝の溝幅Ｗ１に対応する寸法にし、かつ、上記傘部材４６の外径寸法Ｗ２は、傘部材４６の下側に位置する部材４９を長溝４０の内に位置させた状態で、上記傘部材の外周面４６ａが、上記掛合片４４の内側に接するようにし、下側の支持板１０における上記選択利用される各反射素子の装着部１２の構成は、外周縁１０ａに向けて解放された入口５１を備える長溝５０であって、かつ、長溝５０の入口５１近くの溝縁５０ａには上方に突出する係り合片５４が備えられており、一方、上記の装着位置変更に係わる反射素子１７の下部取付部１９にあっては、下側の支持板１０における上面１０ｂの上に対して周囲の部材２０を位置させるために上記長溝５０の溝幅W４よりも大きい寸法W５の外形太部２０を形成し、その外形太部２０の下面の中央部には雌ねじ孔５５を設けて下方からボルト５６を着脱自在に螺合させ、さらに、長溝５０の溝幅W４よりも大きい上記外形太部２０の外周径W５は、上記長溝５０の内に上記ボルト軸部56aを位置させた状態で、上記係り合片５４の内側に接するような径に形成し、上記の上下一対の支持板７、１０に設けられている複数の反射素子１７の装着部９、１２に対して選択的に、反射素子１７を装着するときには、上側の支持板７における長溝４０に対して、反射素子上部の傘部材４６を、支持板上方に突出する上記掛合片４４を乗り越えさせる状態で挿入することと、反射素子下部に備えさせたボルト５６を緩めた状態で、下側の支持板１０における長溝５０に対して、反射素子下部の上記長溝５０の溝幅W４よりも大きい外形太部２０が上記係り合片５４を乗り越える状態で挿入することと、その後下側の支持板１０の下側に表れるボルト５６を締付けることにより、上記反射素子の上部の傘部材４６は上記掛合片４４の内側に掛合し、上記反射素子の下部の上記長溝５０の溝幅W４よりも大きい外形太部２０は上記係り合片５４の内側に係合し、夫々定位置で不動状態になるようにしたものである。
【０００９】
また好ましくは、上下一対の平行に配置された支持板７、１０を備えると共に、それらの上下一対の支持板の間には、放射素子１３と、該放射素子から所定間隔離隔されて相互に平行状態に配置される複数本の反射素子１７とを、各上下端部１４、１５、１８、１９を、夫々上記上下の支持板における各装着部８、１１、９、１２に対して装着した状態で備えさせ、しかも、上記複数本の反射素子の内の任意複数の反射素子１７については、指向性アンテナの指向特性を変更できるように上下一対の支持板に設けられている複数の装着部９、１２に対する装着位置を選択的に変更できるようにしてある指向性アンテナにおいて、上側の支持板７における上記選択利用される各反射素子の装着部９の構成は、外周縁７ａに向けて解放された入口４１を備える長溝４０であって、かつ、長溝４０の深部４２と入口４１との間の溝縁４０ａには上方に突出する掛合片４４が備えられており、一方、上記の装着位置変更に係わる反射素子１７の上部取付部１８にあっては、上側の支持板における上面７ｂの上に対して周囲の張出部材４７を位置させるために上記長溝４０の溝幅W１よりも大きい外径W２の傘部材４６を一体的に備えさせると共に、傘部材４６の下側に位置する第１頸部４９の外径寸法Ｗ３は、上記長溝の深部における溝幅Ｗ１に対応する寸法にし、かつ、上記傘部材４６の外径寸法Ｗ２は、上記の第１頸部４９が長溝４０の深部４２に位置された状態で、上記傘部材の外周面４６ａが、上記掛合片４４の内側に接するようにし、下側の支持板１０における上記選択利用される各反射素子の装着部１２の構成は、外周縁１０ａに向けて解放された入口５１を備える長溝５０であって、かつ、長溝５０の深部５２と入口５１との間の溝縁５０ａには上方に突出する係り合片５４が備えられており、一方、上記の装着位置変更に係わる反射素子１７の下部取付部１９にあっては、下側の支持板１０における上面１０ｂの上に対して周囲の部材２０を位置させるために上記長溝５０の溝幅W４よりも大きい寸法W５の外形太部２０を形成し、その外形太部２０の下面の中央部には雌ねじ孔５５を設けて下方からボルト５６を着脱自在に螺合させると共に、上記外形太部２０の下側に位置させる第２頸部５９となる部材の外形寸法W６は、上記長溝５０の深部５２における溝幅W４に対応する寸法にし、さらに、長溝５０の溝幅W４よりも大きい上記外形太部２０の外周径W５は、上記長溝の深部５２に上記第２頸部となる部材５９を位置させた状態で、上記係り合片５４の内側に接するような径に形成し、上記の上下一対の支持板７、１０に設けられている複数の反射素子１７の装着部９、１２に対して選択的に、反射素子１７を装着するときには、上側の支持板７における長溝４０に対して、反射素子上部の傘部材４６を、支持板上方に突出する上記掛合片４４を乗り越えさせる状態で挿入することと、反射素子下部に備えさせたボルト５６を緩めた状態で、下側の支持板１０における長溝５０に対して、反射素子下部の上記長溝５０の溝幅W４よりも大きい外形太部２０が上記係り合片５４を乗り越える状態で挿入することと、その後下側の支持板１０の下側に表れるボルト５６を締付けることにより、上記反射素子の上部の傘部材４６は上記掛合片４４の内側に掛合し、上記反射素子の下部の上記長溝５０の溝幅W４よりも大きい外形太部２０は上記係り合片５４の内側に係合し、夫々定位置で不動状態になるようにしたものであればよい。
【発明の効果】
【００１０】
以上のように本発明にあっては、複数本の反射素子１７の内、いくつかの反射素子１７について、その取付位置を変更することができるので、１つの指向性アンテナでもって、要求される複数の指向特性に対応することができる利便性がある。
【００１１】
さらに、複数の反射素子１７については、指向性アンテナの指向特性を変更できるように上下一対の支持板に設けられている複数の装着部９、１２の位置を選択的に変更できるようにしたものであっても、
反射素子１７の装着状態は、上部１８において、傘部材４６の下側にある部材４９を長溝４０に位置させると共に、傘部材４６の外周46aを掛合片４４の内側44aに掛合させ、一旦、支持板に反射素子の上部１８を装着した後は、定位置で横移動させない特長がある。このことは、他の放射素子１３や反射素子１７との位置関係に変動をもたらす恐れがなく、設定された指向特性を維持する上に効果がある。
【００１２】
さらに、反射素子の下部１９の装着状態は、上部１８の傘部材４６の外周46aが掛合片４４の内側44aに掛合した状態で、長溝５０の深部５２に位置すると共に反射素子下部の外形太部２０が係り合片５４の内側に係合して、夫々定位置で不動状態になるようにしてあるから、反射素子１７の装着作業中において、従来品のように、反射素子が長溝に沿って隣接場所へ横移動する恐れはなく、定位置に留まる特長がある。この点からも指向特性を設計値に維持する上に効果がある。
【００１３】
その上、仮に、ボルト５６の締め付け状態が少し位緩んだ状態でも、反射素子１７の上下の固着状態は、夫々対応する「長溝の深部と、掛合片（係り合片）」の存在により横移動する恐れはなく、定位置に留まり、設定された指向特性を維持する効果がある。
【００１４】
さらに本発明にあっては、工場出荷に際して、上下の２つの支持板７、１０に対して反射素子１７を装着する場合は勿論のこと、現場において上下の支持板７、１０に対して反射素子１７を装着換えする場合においても、上側の支持板７における長溝４０に対して、反射素子上部１８の傘部材４６を支持板上方に突出する上記掛合片４４を乗り越えさせる状態で挿入し、下側にあっては、反射素子下部のボルト５６を緩めた状態で、下側の支持板１０の長溝５０に対して、反射素子下部の第２頸部５９となる部材を挿入し、その後一本のボルト頭を締付けるだけの操作で装着を完了することのできる特長があり、反射素子の着脱が手間少なく、迅速に行える作業上の効果もある。
【発明を実施するための最良の形態】
【００１５】
以下本発明の実施の形態を図面を用いて説明する。
まず図面において、図１は、アンテナ部３と、アンテナ部保持機構４との組付状態における関係を説明するための側面図である。このアンテナ部３は、例えば、２．４GHz無線ＬＡＮ用セクターアンテナを示す。図２は、アンテナ部３の上部支持板７と、下部支持板１０と、その間に配置される放射器１３、反射素子１７の関係及びアンテナ部保持機構４との組付状況における関係を説明するための斜視図。図３の（Ａ）は上部支持板７の平面図、（Ｂ）は下部支持板１０の平面図で、放射器装着部８，１１と、着脱変更自在の反射素子装着部９、１２の具体例が現れている説明用の図。
この図３において、符号Ａ５、Ａ６、Ａ７は、順次、支持板７、１０における各Ｃ１の点を中心とする反射素子装着部における長溝の中心位置相互間の角度（例えば１２３°、８３°、５０°）を示す。
図４の (A)と、(B)と、(C)と、(D)と、(E)と、(F)は、順次、図3（Ａ）の「IVA矢視方向」の図と、図3（Ａ）の「IVB矢視方向」の図と、図3（Ｂ）の「IVＣ矢視方向」の図と、図3（Ｂ）の「IVD矢視方向」の図と、掛合片４４の異なる例を示す側面図と、係り合片５４の異なる例を示す側面図である。  
【００１６】
図５は、図６（Ａ）のV−V位置における上部支持板７と、下部支持板１０と、それらの反射素子装着部９、１２に対する反射素子１７における反射素子上部取付部１８、反射素子下部取付部１９との関係を説明するための断面図で、（Ａ）は分解断面図、（Ｂ）は組立状態を示す図、（Ｃ）は反射素子の下部装着部１９における第２頸部５９が、図（Ｂ）にあってはボルトで構成していたのに対し、反射素子の下部の部材をやや細く形成して第２頸部とした異なる例を示す図。  
図６の(A)と、(B)と、(C)と、(D)は、順次、図５（Ｂ）のVIＡ−VIＡ位置、VIＢ−VIＢ位置、VIＣ−VIＣ位置、VIＤ−VIＤ位置の断面図を示す。  
図７は、上部支持板７と、下部支持板１０に対する反射素子１７の反射素子上部取付部１８と反射素子下部取付部１９との装着状態を説明するための動作図。
【００１７】
図８は、装着位置変更に係わる反射素子１７（17b、17c）の上部取付部１８における傘部材４６の異なる例を示すもので、(A)(B)(C)は、順次、正面図、平面図、分解斜視図を示す。これらの図は、上部取付部１８の上端を平坦に形成し、そこの上の中央部に、太い径（寸法がＷ２）の頭４６（十字孔付き）を備える捻子48aを螺着して傘部材４６を構成した例を示す。上部取付部１８に対する螺着の度合いは、離脱不能な固着状態でも、回り止めが施されて離脱し難い固着状態であっても良い。
図９は、反射素子１７（17b、17c）における上部の傘部材４６のさらに異なる例を示すもので、(A)と、(B)と、(C)は、順次、正面図、平面図、分解斜視図を示す。これらの図は、上部取付部１８の上端を平坦に形成し、そこの上の中央部に、太い径（寸法がＷ２）の頭４６を備えるかしめ用の軸棒48aをかしめ付けして、傘部材４６を構成した例を示す。上部取付部１８に対するかしめ付けの度合いは、離脱不能な固着状態でよい。
図１０は、上部支持板７における長溝４０の形状と、これに対応する反射素子上部取付部１８の形状の異なる装着例と、下部支持板１０に対する反射素子下部取付部１９の異なる装着例を示すもので、(A)と、(B)と、(C)の図は、順次、上部支持板７と反射素子上部取付部１８との分解斜視図、長溝４０を備える上部支持板７の平面図、長溝４０の内側に傘部材４６を装着した状態の平面図を示す。これらの図においては、傘部材４６は、装着位置変更に係わる反射素子１７（17b、17c）の上部取付部１８の部材と、１体材で形成した例を示す。また反射素子１７及び傘部材４６の断面形状は矩形形状にしてある。更に傘部材４６の下側に位置させる部材４９（第１頸部）の外径も角形に形成して張り出させてある。なお、傘部材４６を図(C)の状態にして掛合部４４に掛合いした後は、反射素子１７は回動をしないことになる。
(D)と、(E)と、(Ｆ)との図は、順次、下部支持板１０と反射素子下部取付部１９との分解斜視図、長溝５０を備える下部支持板１０の平面図、長溝５０の上側に外形太部２０を装着した状態の一部破断平面図を示す。これらの図においては、断面形状が矩形形状にしてある反射素子下部取付部１９と、同じく断面形状が矩形形状にしてある外形太部２０とを一体材で図示のように折り曲げて形成したものである。
なお、外形太部２０を図(F)の状態にして係り合部５４に係合させた後は、反射素子１７は、ボルト５６を強く回動させても反射素子１７は回動しないことになる。
図(Ｇ)と、図（Ｈ）は、反射素子下部取付部１９における外形太部２０の装着方向を、(D)、(E)、(Ｆ)に示した場合とは、１８０度変更した場合の斜視図と一部破断平面図を示す。
【００１８】
図１１は、上部支持板７における9a、9b、9c、9d、9eに対して要求に対応して任意数量の反射素子を選択的に装着する場合の例を示すもので、(A)と、(B)と、(C)は、順次、上部支持板７に対して、反射素子の上部取付部18b、18c（●の印）を、装着場所を変更しながら装着した例を示す平面概略図で、(A)は要求される水平面半値角度６０°の例、(B)は要求される水平面半値角度９０°の例、(C)は要求される水平面半値角度１２０°の例を示す。
図１２の(A)と、(B)と、(C)は、図１１に示されている反射素子の上部取付部18b、18cの位置（設定値で、図(A)は６０°、図(B)は９０°、図(C)は１２０°の位置）における夫々対応する水平面内指向特性（2400MHz）を示すものであり、図（Ａ）は半値角が約６２．５°、図（B）は半値角が約８９°、図（C）は半値角が約１１９°と夫々ほぼ設定値が得られている。
なお、図面の説明に当り、前出の図に対する後出の図面の説明において、前出の図と同符号を用いた構成、部材等の機能、性質、特徴、手段等は、以下の説明に於て加える新規な部材の構成、組合せ等の説明に係わる事項を除き、前出の図の同符号の説明と同旨である。よって、前出の図に対する後出の図面の説明においては重複する説明は一部省略する。
【００１９】
次に、指向性アンテナ１は、図１、２に表れているようにアンテナ部３と、アンテナ部の保持機構４とを備える。
アンテナ部３においては、上下一対の平行に配置された支持板７、１０を備えると共に、それらの上下一対の支持板の間には、放射素子１３と、該放射素子から所定間隔離隔されて相互に平行状態に配置される複数本の反射素子１７とを、各上下端部１４、１５、１８、１９を、夫々上記上下の支持板における各装着部８、１１、９、１２に対して装着した状態で備えさせてある。
しかも、上記複数本の反射素子の内の任意複数の反射素子１７（17b、17c）については、指向性アンテナの指向特性を変更できる（図１１，１２参照）ように上下一対の支持板に設けられている複数の装着部９、１２に対する装着位置（例えば上部の支持板７にあっては9b、9c、9dの装着位置、下部の支持板１０にあっては12b、12c、12dの装着位置）を選択的に変更できるようにしてある。
【００２０】
上記の点についてさらに詳細に説明する。
７は上部支持板で金属材を用いて板状に構成してある。７aは外周縁、７bは上面を示す。８は放射器装着部を示し、周知のように放射器１３の上部１４の上端に備えられる連結台１４a（図１に表れている）を上部支持板７の下面に固着するための取付ボルト装着用の透孔8aが設けてある。
９（１２）は反射素子装着部を示し、これらの装着部において、９a（12a）は、周知のように放射器１３に対して所定の間隔を隔てて固定的な位置に配設される反射素子17a（図１、２にも表れている）の装着部を示し、反射素子17aは上下端を周知のようにボルト等の締付具を用いて上下の支持板７，１０の所定場所に固着してある。
９b、９c、９d等は、図１１、図１２に係わる前述の説明からも明らかなように、指向性アンテナの指向特性を複数特定できる（図１２参照）ように、上下一対の支持板に設けられている複数の装着部９、１２に対する装着位置を選択的に変更できるように外周縁7aにおいて所定の間隔を隔てて配設された反射素子装着部を示す。
９eは、予備的に備えさせた反射素子装着部を示し、図１１（Ａ）の場合（例えば水平面半値角度６０°の場合）に用いられていた反射素子１７の内の１組（符号18c）が、図１１（Ｂ）の場合（例えば水平面半値角度９０°の場合）に変更すると不要になるので、これを指向特性の関わりなく仮に収用保持する為のものであり、無くてもよい。
【００２１】
上側の支持板７における上記選択利用される各反射素子の装着部９（９b、９c、９d、9e）の各構成は、図３に表れているように夫々外周縁７ａに向けて解放された入口４１を備える長溝４０を備えている。長溝４０の入口４１の溝縁４０ａの一方または両側には図示のように上方に突出する掛合片４４が備えられている。これらの掛合片４４は図３、４からも明らかなように溝縁４０ａの金属板片をプレス加工時、上方に向けて折り曲げて形成してある。上記長溝４０の深部４２は、図５に表れているように反射素子の第1頸部４９（図１０においては傘部材４６の下側に位置する部材４９）を存置させるに必要な大きさ空間である。
なお上記深部４２の空間の広さは、反射素子の第1頸部４９の断面形状に対応させたものであって、反射素子の第1頸部４９の断面形状と同じであっても良いし、それよりもやや大きく、両者間に少しの間隙があっても、この深部４２に反射素子の第1頸部４９を存置させた場合に大きな横移動がなく、横移動があっても指向性アンテナの指向特性に対して実質的に影響がない範囲であれば許容される。このことは、長溝５０の深部５２の空間の広さと、反射素子の第２頸部５９の断面形状との関係についても同様である。
【００２２】
１０は下部支持板で金属材を用いて板状に構成してある。１０aは外周縁、１０bは上面を示す。１１は支持板に対する放射器装着部を示し、従来品と同様に任意の手段でレドーム１３aを連結すればよい。例えば図示のようにすればよい。支持板１０の１部を折り上げて形成してある連結片１１aに、放射器１３の支持部を構成するベース２３（一般的には所定の支持強度を備える硬質材で中空管状に形成されている）を固着する。
【００２３】
次に、下側の支持板１０における上記選択利用される各反射素子の装着部１２（12b、12c、12d、12e）の構成は、図３、４、５、６に表れているように、上側の支持板７における場合と同様の考えで、外周縁１０ａに向けて解放された入口５１を備える長溝５０を備える。この長溝５０の位置は、上側の支持板７における位置と重合的に同様の位置である。更に長溝５０の深部５２の広さと、この内側に位置させる第２頸部５９の断面形状との対応関係は、上記深部４２の空間の広さと、第1頸部４９の断面形状との対応関係と同じ考えである。
また、更に長溝５０の深部５２と入口５１との間の溝縁５０ａの一方または両側には、支持板１０における溝縁５０ａを上方に向けて突出状に叩き出して形成した係り合片５４が備えられている。
【００２４】
次に、放射器１３における１３aは、通称レドームとも称され、中空の保護パイプ材料としてはＦＲＰを用いて構成されている。中空筒状の保護パイプ内には通信用アンテナ放射素子、例えばコーリニアアンテナ、或はスリーブアンテナと称される要望に対応する通信用アンテナ要素（放射素子）を収めている。１５は放射器の下部を示し、周知のように（図１、２からも明らかなように）上記の支持物を構成するベース２３に連結してある。
なお、反射素子１７（17a、17b、17c）の材料は、周知のように鉄材、アルミニウム材が用いられており、例えばアルミニウム合金A6063、JIS  H  4040  の材料を用いて図示のように一材で構成すればよい。
また、選択利用される反射素子１７（17b、17c）における１８（18b、18c）は反射素子上部取付部、１９（19b、19c）は反射素子下部取付部を示す。２０は反射素子１７の下部を構成する外形太部で、図５（Ｂ）（Ｃ）に表れているように、下側の支持板１０における上面１０ｂの上に対して位置させるために、上記長溝５０の溝幅W４よりも大きい寸法W５に形成してある。
【００２５】
次に放射器１３の支持部の構成にあっては、図１、２に表れているような周知の構成にされている。図において、２３は上記した周知の構成による中空管状ベース、２３aは上部、２３bは下部、２４は接栓(例えば同軸ケーブル・同軸管であっても良い）、２４aは防水キャップを示す。内部には、接栓２４から中空の保護パイプ13aに向けて通信回線、例えば同軸ケーブル・同軸管等が配設されている。
【００２６】
次に、図１、２に良く表れているアンテナ部の保持機構４は、アンテナ部３、特に、上下一対の平行に配置された支持板７、１０と、支持板の間の放射素子１３と、複数本の反射素子１７とを安定的に支持できる構成であればよく、この種の指向性アンテナを支持する周知の構成であれば、好みにあう構成のものを用いればよい。
図において、２７は大地に連なる周知の支柱、２９は支柱に当接させる基板、３５は引止ボルト３６で基板を引き締める当て板、３０は傾動部材で、枢軸３１で基板２９に連結されており、基板２９に植設したボルト３２に対して長孔３３の範囲内をこれを相対移動することにより傾動自在の連結装置２６を構成してある。３４はU字金具で元部を傾動部材３０に締着してある。
【００２７】
次に、装着位置変更に係わる反射素子１７（17b、17c）の上部取付部１８においては、上部には、図５〜図１０に表れているように上側の支持板７における上面７ｂの上に対して、周囲の張出部材４７を位置させるために上記長溝４０の溝幅W１よりも大きい外径W２の傘部材４６を一体的に備えさせてある。
この傘部材４６としては、図５、６、７に表れているように外周面46aが溝幅W１よりも大きい外径となるように大きなワッシャー４７を利用している。４８はワッシャー４７を上記の上部取付部１８（第1頸部４９）における上面の雌ねじ部に締付状態で固定するためのボルトを示す。なお上部取付部１８（第1頸部４９）の上面は、図5のように周囲が環状に切除されていても、図8のように平坦であっても良い。またボルト４８の締め付け状態は、離脱不能な固着状態であっても、回り止めが施されて離脱し難い固着状態であっても良い。
【００２８】
次に、傘部材４６の下側に位置する第１頸部４９の外径寸法Ｗ３は、図６に表れているように上記長溝の深部４２における溝幅Ｗ１に対応する適当な寸法にし、かつ、上記傘部材４６の外径寸法Ｗ２は、上記の第１頸部４９が図示のように長溝４０の深部４２に位置した状態で、上記傘部材の外周面４６ａが、上記掛合片４４の内側に接して外周方向に抜け出さないようにしてある。
【００２９】
次に、装着位置変更に係わる反射素子１７（17b、17c）の各下部取付部１９にあっては、下側の支持板１０における上面１０ｂの上に対して、図示のように夫々周囲の部材２０を位置させるために上記長溝５０の溝幅W４よりも大きい寸法W５の外形太部２０が形成してある。
更に外形太部２０の下面の中央部には雌ねじ孔５５を設けて下方からボルト５６を着脱自在に螺合させてある。
上記外形太部２０の下側に位置させる第２頸部５９となる部材は、図５（Ｂ）のようにボルトの軸56aを利用する場合でも良いし、図５（Ｃ）のように反射素子１７の各下部取付部１９の下端の周辺を環状に欠如させ、やや細く構成したものであっても良い。このようにやや細くなる部材５９の外形寸法W６は、上記長溝５０の深部５２における溝幅W４に対応する寸法にし、さらに、長溝５０の溝幅W４よりも大きい上記外形太部２０の外周径W５は、上記長溝の深部５２に上記第２頸部となる部材５９を位置させた状態で、図示のように上記係り合片５４の内側に接するような径に形成してある。
【００３０】
上記の上下一対の支持板７、１０に設けられている複数の反射素子１７の装着部９、１２に対して選択的に、反射素子１７を装着するときには、図７に表れているように、上側の支持板７における長溝４０に対して、反射素子１７の上部の傘部材４６を、支持板上方に突出する上記掛合片４４を乗り越えさせる状態で挿入することと（図７（Ａ）（Ｂ）参照）、反射素子下部に備えさせたボルト５６を緩めた状態で、下側の支持板１０における長溝５０に対して、反射素子下部の上記長溝５０の溝幅W４よりも大きい外形太部２０が上記係り合片５４を乗り越える状態で挿入することと（図７（Ｂ）（Ｃ）参照）、その後下側の支持板１０の下側に表れるボルト５６を締付けること（図５（Ｂ）参照）により、上記反射素子の上部の傘部材４６は上記掛合片４４の内側44aに掛合し、上記反射素子の下部の上記長溝５０の溝幅W４よりも大きい外形太部２０は上記係り合片５４の内側に係合し、夫々図５（Ｂ）、図１１からも明らかなように定位置で不動状態になるようにしてある。
斯かる装着状態においては、長溝の深部縁42a に対して傘部材４６の下側に位置する部材４９が当接してあっても良いし、僅かに離れていても良い。
なお図３に表れる掛合片４４と係り合片５４とは、夫々長溝の一方の側に設置してあればストッパーの役割を果たすことができる。また、掛合片４４と係り合片５４の入口４１、５１の側の形状は、図４（Ｅ）、（Ｆ）に表れているように、面取りして斜面にすることにより傘部材４６を挿入しやすいようにしてあっても良い。
【実施例】
【００３１】
次に、一対の平行に配置された支持板７、１０についての寸法は任意でよいが、あえて例示すれば次の通り。図３の台形をした支持板７、１０における底辺、上辺、高さの寸法は、順次、１６４mm、６４．５mm，８３．３mm。支持板の板厚は２mm、W１（上の溝幅）は８．５mm、W２（傘部材の外径）は１４mm、W３（上の頸部の外径）は８mm、W４（下の溝幅）は４．２mm、W５（反射素子の外径）８mm、W６（頸部の外径）は３．６mmにしてみた。
【図面の簡単な説明】
【００３２】
【図１】アンテナ部と、アンテナ部保持機構の関係を示す側面図。
【図２】アンテナ部と、アンテナ部保持機構の関係を示す斜視図。
【図３】（Ａ）は上部支持板の平面図。（Ｂ）は下部支持板の平面図。
【図４】(A)と、(B)と、(C)と、(D)と、(E)と、(F)は、順次、図3（Ａ）の「IVA矢視方向」の図と、図3（Ａ）の「IVB矢視方向」の図と、図3（Ｂ）の「IVＣ矢視方向」の図と、図3（Ｂ）の「IVD矢視方向」の図と、掛合片の異なる例を示す側面図と、係り合片の異なる例を示す側面図である。
【図５】上部支持板と下部支持板と反射素子との関係を示す断面図で、（Ａ）は分解断面図、（Ｂ）は組立状態を示す図、（Ｃ）は反射素子の下部装着部における異なる例を示す図。
【図６】(A)と、(B)と、(C)と、(D)は、順次、図５（Ｂ）のVIＡ−VIＡ位置、VIＢ−VIＢ位置、VIＣ−VIＣ位置、VIＤ−VIＤ位置の断面図を示す。
【図７】上部支持板と、下部支持板に対する反射素子の装着状態を説明するための動作図。
【図８】反射素子における上部の異なる例を示すもので、(A)と、(B)と、(C)は、順次、正面図、平面図、分解斜視図を示す。
【図９】反射素子における上部のさらに異なる例を示すもので、(A)と、(B)と、(C)は、順次、正面図、平面図、分解斜視図を示す。
【図１０】上部支持板に対する反射素子の異なる装着例と、下部支持板に対する反射素子の異なる装着例を示すもので、 (A)と、(B)と、(C)と、(D)と、(E)と、(Ｆ)と、(Ｇ)と、(Ｈ)は、順次、斜視図、平面図、平面図、斜視図、平面図、一部破断平面図、斜視図、一部破断平面図を示す。
【図１１】(A)と、(B)と、(C)は、順次、上部支持板に対する反射素子の装着場所の変更例を示す平面概略図。
【図１２】(A)と、(B)と、(C)は、順次、上部支持板に対する反射素子の装着場所を変更した場合の水平面内指向特性の変化を示す図。
【符号の説明】
【００３３】
１・・・指向性アンテナ、３・・・アンテナ部、４・・・アンテナ部の保持機構、７・・・上部支持板、７a・・・外周縁、７b・・・上面、８・・・放射器装着部、９・・・反射素子装着部、１０・・・下部支持板、１０a・・・外周縁、１０b・・・上面、１１・・・放射器装着部、１１a・・・連結片、１２・・・放射器装着部、１３・・・放射器（放射素子）、１３a・・・レドーム、１４・・・放射器の上部、１４a・・・連結台、１５・・・放射器の下部、１７・・・反射素子（反射器）、１８・・・反射素子上部取付部、１９・・・反射素子下部取付部、２０・・・外形太部、２３・・・ベース（中空管状）、２３a・・・上部、２３b・・・下部、２４・・・接栓(同軸ケーブル・同軸管）、２４a・・・キャップ、２６・・・連結装置（傾動自在の構成）、２７・・・支柱、２９・・・基板、３０・・・傾動部材、３１・・・枢軸、３２・・・固定ボルト、３３・・・長溝、３４・・・U字金具、３５・・・当板、３６・・・引止ボルト、４０・・・長溝、４０a・・・溝縁、４１・・・入口、４２・・・深部、42a ・・・深部縁、４４・・・掛合片、４６・・・傘部材、４６a・・・外周面、４７・・・ワッシャー・張出部材、４８・・・ボルト、４９・・第1頸部・傘部材の下側に位置する部材、５０・・・長溝、５０a・・・溝縁、５１・・・入口、５２・・・深部、５４・・・係り合片、５５・・・雌ねじ、５６・・・ボルト、５９・・・第２頸部、A１・・・矢印（上方）、A２・・・放射方向、W１・・・溝幅、W２・・・傘部材の外径、W３・・・頸部の外径、W４・・・溝幅、W５・・・反射素子の外径、W６・・・第２頸部の外径。
【図１】
2010074281.tif 000003
【図２】
2010074281.tif 000004
【図３】
2010074281.tif 000005
【図４】
2010074281.tif 000006
【図５】
2010074281.tif 000007
【図６】
2010074281.tif 000008
【図７】
2010074281.tif 000009
【図８】
2010074281.tif 000010
【図９】
2010074281.tif 000011
【図１０】
2010074281.tif 000012
【図１１】
2010074281.tif 000013
【図１２】
2010074281.tif 000014